(57)【要約】【課題】筐体の前面に設けられた投入口を開閉するドアと筐体との間において無線で電力および情報の伝達を行うことができ、また、構成を簡単化することができるドラム式洗濯乾燥機を提供する。【解決手段】  ドア６の台座８外周下部に電力受信ユニット１１を設け、筐体２の窪み部４下部に電力送信ユニット１２を設ける。また、電力受信ユニット１１および電力送信ユニット１２は、投入口５の閉鎖状態にて、それぞれが有する２つのコイル同士が対向するように位置させる。これにより、投入口５の閉鎖状態においては、筐体２側の電力送信ユニット１２の各コイルとドア６側の電力受信ユニット１１の各コイルとが電磁結合することで、筐体２側からドア６側へ電力を供給するとともにドア６側から筐体２側へ信号を送信する。【選択図】図１
2008132257.tif 000002
【特許請求の範囲】
【請求項１】
前面に洗濯物等の投入口を有する筐体と、この筐体の内部に設けられた水槽と、この水槽の内部に回転可能に設けられたドラムと、前記投入口を開閉するように回動可能に設けられたドアとを備えてなるドラム式洗濯乾燥機において、
前記投入口の周囲部に設けられた電力送信用コイルおよび信号受信用コイルと、
前記投入口が閉鎖された状態で前記電力送信用コイルおよび前記信号受信用コイルとそれぞれ対向するように前記ドアに設けられた電力受信用コイルおよび信号送信用コイルと、
前記電力送信用コイルへの通電を制御する電力送信手段と、
前記電力受信用コイルから供給される電力により動作し、前記信号送信用コイルへの通電を制御する信号送信手段と、
前記信号受信用コイルに受信される信号に基づいて前記ドアの開閉状態を検知する開閉検知手段とを備えたことを特徴とするドラム式洗濯乾燥機。
【請求項２】
ドアは、ドラム内を視認可能なように構成され、
前記ドアにドラム内を照明する照明装置を設け、
前記照明装置は、電力受信用コイルから供給される電力により動作することを特徴とする請求項１記載のドラム式洗濯乾燥機。
【請求項３】
ドアにドラム内の状態を示す物理量を検出するセンサを設け、
前記センサは、電力受信用コイルから供給される電力により動作し、
前記センサの検出信号は、信号送信用コイルおよび信号受信用コイルを介して送信されることを特徴とする請求項１または２記載のドラム式洗濯乾燥機。
【発明の詳細な説明】
【技術分野】
【０００１】
本発明は、前面に洗濯物等の投入口を有する筐体と、この投入口を開閉するように回動可能に設けられたドアとを備えたドラム式洗濯乾燥機に関する。
【背景技術】
【０００２】
ドラム式の洗濯機または洗濯乾燥機には、筐体の前面に洗濯物の投入口が備えられているとともに、この投入口を開閉するドアが備えられている。このようなドラム式洗濯機において、ドア側に電子機器や電気機器を取り付けることが考えられている。しかしながら、洗濯機のドアは洗濯物の出し入れの際、頻繁に開閉されるものであり、ドア側の機器への電力供給またはドア側の機器から筐体側への信号出力などを行うための配線は、屈曲が繰り返されることになり、断線してしまう可能性があるため信頼性に問題がある。
【０００３】
特許文献１には、開閉蓋に取り外し可能に取り付けた操作表示ユニットと、本体側に設けた充電用コイルおよび制御ユニットとの間において、非接触状態での電力供給や無線による通信を行うといった構成の縦軸形全自動洗濯機が開示されている。このものによれば、洗濯機の蓋側と本体側との間の配線が不要となり、上述した問題を解消することが可能となる。
【特許文献１】特開２００２−０８５８９１号公報
【発明の開示】
【発明が解決しようとする課題】
【０００４】
ところで、ドラム式洗濯乾燥機においては、洗濯物の投入口を開閉するドアの閉塞状態をラッチ（ロック）するラッチ機構が設けられており、これにより、ドアの不完全な閉塞によって水漏れ等が発生しないように構成している。そして、ドラム式洗濯乾燥機には、ドアの開放状態及び閉塞状態を検知するドアスイッチが設けられているとともに、ドアの閉塞状態がラッチされているか否かを検知するラッチスイッチが設けられている。また、これらドアスイッチおよびラッチスイッチは、投入口の周縁部に配設されている。
このような構成のドラム式洗濯乾燥機に、上記特許文献１に記載されたような装置、すなわち、無線で電力供給及び情報伝達を行う装置を組み込もうとすると、投入口及びドアの周縁部の構成が複雑になり、それだけ製造コストも高くなるという不具合が生ずる。
【０００５】
本発明は上記事情に鑑みてなされたものであり、その目的は、筐体の前面に設けられた投入口を開閉するドアと筐体との間において無線で電力および情報の伝達を行うことができ、また、構成を簡単化することができるドラム式洗濯乾燥機を提供することにある。
【課題を解決するための手段】
【０００６】
上記した目的を達成するために、本発明のドラム式洗濯乾燥機は、前面に洗濯物等の投入口を有する筐体と、この筐体の内部に設けられた水槽と、この水槽の内部に回転可能に設けられたドラムと、前記投入口を開閉するように回動可能に設けられたドアとを備えてなるドラム式洗濯乾燥機において、前記投入口の周囲部に設けられた電力送信用コイルおよび信号受信用コイルと、前記投入口が閉鎖された状態で前記電力送信用コイルおよび前記信号受信用コイルとそれぞれ対向するように前記ドアに設けられた電力受信用コイルおよび信号送信用コイルと、前記電力送信用コイルへの通電を制御する電力送信手段と、
前記電力受信用コイルから供給される電力により動作し、前記信号送信用コイルへの通電を制御する信号送信手段と、前記信号受信用コイルに受信される信号に基づいて前記ドアの開閉状態を検知する開閉検知手段とを備えたことを特徴とする。
【０００７】
このように構成すれば、投入口の閉鎖状態において、筐体側の電力送信手段が電力送信用コイルへ通電を行うと、この電力送信用コイルと対向して位置するドア側の電力受信用コイルに電力が供給される。そして、この電力受信用コイルからの電力によって信号送信手段が動作し、信号送信用コイルに通電を行う。すると、ドア側の信号送信用コイルと対向して位置する筐体側の信号受信用コイルに電圧が誘起される。すなわち、ドア側の信号送信手段から電力送信用コイルおよび信号受信用コイルを介して筐体側に信号が送信される。一方、投入口の開放状態においては、上述した筐体側からドア側への電力供給動作が行われないため、ドア側から筐体側に信号が送信されない。従って、開閉検知手段は、この信号に基づいてドアの開閉状態を検知することができる。
【発明の効果】
【０００８】
本発明によれば、筐体の前面に設けられた投入口を開閉するドアと筐体との間において、配線を用いることなく、筐体側からドア側に電力の供給を行うとともにドア側から筐体側に信号の送信を行うことができ、また、ドアの開閉状態を検知するドアスイッチが不用になるから構成を簡単化できる。
【発明を実施するための最良の形態】
【０００９】
（第１実施例）
以下、本発明の第１実施例について図１〜図６を参照しながら説明する。
図１および図２は、ドラム式洗濯乾燥機の概略全体構成を示しており、図１は縦断側面図であり、図２は外観斜視図である。洗濯乾燥機１の外殻をなす筐体２の前面（図２中、左側面）は、前面板２ａから形成されており、その上部には多数のスイッチおよび表示部を備えた操作パネル３が設けられている。また、筐体２の前面板２ａには、円形の窪み部４が形成されており、その中心部には洗濯物を出し入れするための投入口５が形成されている。
【００１０】
筐体２には、投入口５を開閉するためのドア６がヒンジ部７を介して回動可能に取り付けられている。ドア６は、図１および図３（ａ）、（ｂ）に示すように、円環状の台座８に前面板９および後面板１０を取付けて構成されており、前面板９および後面板１０は少なくとも中央部または全部が透視可能に形成されている。また、後面板１０は、略円錐台形状に膨出する形状をなしている。ドア６は、投入口５を閉鎖した状態（図１の状態）では、その台座８および前面板９の周縁部が窪み部４に位置するようになっている。
【００１１】
ドア６において、台座８の図１中の右面下部には、電力受信ユニット１１が取り付けられている。一方、筐体２側において、窪み部４の図１中の右面下部には電力送信ユニット１２が取り付けられている。電力受信ユニット１１は、図３（ｃ）および図５に示すように、電力受信用コイル３２および信号送信用コイル３３を有している。電力送信ユニット１２は、図５に示すように、電力送信用コイル４２および信号受信用コイル４３を有している。そして、電力受信ユニット１１および電力送信ユニット１２は、投入口５の閉鎖状態において、電力受信用コイル３２と電力送信用コイル４２とが対向し且つ信号送信用コイル３３と信号受信用コイル４３とが対向するようにそれぞれ配置されている。また、詳細は後述するが、これら電力受信ユニット１１および電力送信ユニット１２により、筐体２側からドア６側への電力の供給やドア６側から筐体２側への信号の伝達などを行うようになっている。
【００１２】
筐体２内には、円筒状をなす水槽１３が、弾性支持装置１４により支持されて設けられている。水槽１３の内部には、円筒状をなすドラム１５が水槽１３と同軸状に収容されている。これら水槽１３及びドラム１５は、何れも中心軸が後下がり（図２中、右下がり）に傾斜するように配置されている。ドラム１５は、洗濯の他、脱水及び乾燥に共用の槽として機能するもので、胴部の略全域に小孔１６が多数形成されており（一部のみ図示）、胴部の内周部にはバッフル１７が複数設けられている（一つのみ図示）。
【００１３】
水槽１３及びドラム１５は、夫々前面部に洗濯物出し入れ用の開口部１８、１９が設けられている。水槽１３の開口部１８は投入口５にベローズ２０により水密に連ねられており、ドラム１５の開口部１９はその水槽１３の開口部１８を臨むようになっている。また、ドラム１５の開口部１９の周囲部には、バランスリング２１が設けられている。
【００１４】
水槽１３の背面部には、ドラム１５を回転駆動するモータ２２が取り付けられている。モータ２２は、アウタロータ形のブラシレスＤＣモータであり、その回転軸２３の前端部はドラム１５の背部の中央部に連結されている。すなわち、モータ２２のロータが回転すると、ロータと一体にドラム１５も回転する構成（いわゆるダイレクトドライブ方式）になっており、ドラム１５内に収容した洗濯物に対して回転力を作用させて、洗い運転、すすぎ運転、脱水運転を行うようになっている。
【００１５】
水槽１３の下面部には水溜部２４が設けられており、この水溜部２４の後部には排水弁２５を介して排水ホース２６が接続されている。また、水槽１３の上部には、水槽１３内に臨むように通気ダクト２７が配設され、この通気ダクト２７にはヒータ２８が接続され、その上流側には水槽１３内に送風するための送風ファン２９が設けられ、送風ファン２９の更に上流側は水槽１３の内部に臨むように水槽１３に接続されている。また、上述した経路内には、図示しない水冷式の熱交換器が設けられている。このような構成により、ヒータ２８及び送風ファン２９によって水槽１３及びドラム１５内に温風が供給される。そして、この温風は洗濯物の水分を奪った後、熱交換器により除湿され、再び循環されるようになっている。
【００１６】
続いて、電力受信ユニット１１の具体的構成について図３を参照して説明する。なお、図３（ａ）は筐体側から見た要部の平面図、図３（ｂ）は図３（ａ）におけるＸ−Ｘ線の断面図、図３（ｃ）は電力受信ユニット内における部品配置図である。
電力受信ユニット１１は、矩形箱状をなしており、後面板１０を台座８に固定するための円環状をなす金属製の押さえ板３０と台座８との間に配置されており、ねじ３１により台座８上に固定されている（図３（ｂ）参照）。電力受信ユニット１１は、電力受信用コイル３２および信号送信用コイル３３などが搭載された回路基板３４（図３（ｃ）参照）を樹脂によりモールドして構成されており、ユニット本体３５には、ねじ３１を挿入するねじ孔３６が形成されている。
【００１７】
ユニット本体３５の端部からは、複数本の配線（一部のみ符号３７、３８を付して示す）が引き出されており、これら配線３７、３８は、後述する照明用ＬＥＤ３９およびセンサ４０（図５参照）に接続され、電力の供給や信号の出力を行うようになっている。
また、押さえ板３０には、電力受信ユニット１１内の各コイル３２、３３と対応する部分に位置して開口部４１が形成されており、各コイル３２、３３による電力や信号の送受信動作を妨げないような構成となっている。
【００１８】
一方、筐体２側に設けられた電力送信ユニット１２は、電力受信ユニット１１と略同様に構成されており、詳細は図示しないが、電力送信用コイル４２および信号受信用コイル４３（図５参照）などが実装された回路基板を樹脂によりモールドして矩形箱状に構成されている。
【００１９】
図４は、照明用ＬＥＤ３９を保持するＬＥＤケース４４の概略構成を示しており、（ａ）は外観斜視図、（ｂ）はドアに取り付けられた状態を示す図である。図４（ａ）に示すように、ＬＥＤケース４４は、後面板１０の上部から下部への傾斜に合わせた傾斜を有する傾斜部４４ａと、この傾斜部４４ａの上部から横方向に延設された平坦部４４ｂとを有し、略へ字状をなすように構成されている。このＬＥＤケース４４は樹脂によって形成されており、平坦部４４ｂの上面には照明用ＬＥＤ３９を収容する収容凹部４４ｃが設けられているとともに、傾斜部４４ａの内側面と平坦部４４ｂの下面には配線３７、３８を収容する収容溝（図示せず）が設けられている。そして、平坦部４４ｂの収容凹部４４ｃ中央に照明用ＬＥＤ３９が配置されている。
【００２０】
電力受信ユニット１１から照明用ＬＥＤ３９へ電源を供給する配線３７、３８は、傾斜部４４ａの下端から収容溝内に導入されて平坦部４４ｂまで延びており、収容凹部４４ｃに形成された貫通孔（図示せず）を通して照明用ＬＥＤ３９に接続されている。上記構成のＬＥＤケース４４は、図４（ｂ）に示すように、後面板１０の内側面（筐体２と反対面）の外周部における中央右側（ヒンジ部７と反対側）に配置されている。また、詳細は図示しないが、後面板１０の外側面（筐体２側の面）の外周部にはセンサ４０が取り付けられている。なお、センサ４０としては、温度センサや湿度センサ等が設けられている。この構成の場合、照明用ＬＥＤ３９は、洗濯物や洗濯水等に直接触れない所に位置し、一方、センサ４０は、洗濯物や洗濯水等に直接触れる所に位置している。
【００２１】
図５は、電力受信ユニット１１および電力送信ユニット１２とその周辺回路の電気構成を示している。図５に示すように、筐体２側には、発振回路４５、検出回路４６、電力送信用コイル４２、信号受信用コイル４３、ヒータ２８への通断電を行うためのヒータリレー４７、送風ファン２９のファンモータ４８を駆動するための駆動回路４９、操作パネル３の表示部の表示を制御するための表示制御回路５０およびこれらの動作を制御するための制御回路５１（電力送信手段および開閉検知手段に相当）が設けられている。
【００２２】
このうち、制御回路５１は、ＣＰＵ、ＲＯＭ、ＲＡＭなどを備えたマイクロコンピュータを主体として構成されている。そして、発振回路４５において、電力送信用コイル４２の両端には、図示しない電源回路からの直流電圧が印加されるようになっており、この通電を制御回路５１からの発振信号に応じてスイッチングすることで、電力送信用コイル４２に交流電力が供給されるようになっている。なお、本実施例において、この発振信号の周波数は、５０ｋＨｚまたは４５ｋＨｚであり、これらは後述する照明用ＬＥＤ３９の点灯制御に応じて変更されるようになっている。
【００２３】
また、検出回路４６においては、信号受信用コイル４３の両端に誘起される交流電圧から後述するセンサ情報信号を検波し、制御回路５１に出力している。なお、検出回路４６は、例えばフォトカプラを有して構成されており、これにより、信号受信用コイル４３と制御回路５１との間は電気的に絶縁されている。
【００２４】
一方、ドア６側には、平滑回路５２、検出回路５３、変調／発振回路５４、電力受信用コイル３２、信号送信用コイル３３、照明用ＬＥＤ３９を点灯させるための照明回路５５（照明装置に相当）、センサ４０およびこれらの動作を制御するための制御回路５６（信号送信手段に相当）が設けられている。このうち、制御回路５６は、ＣＰＵ、ＲＯＭ、ＲＡＭなどを備えたマイクロコンピュータを主体として構成されている。平滑回路５２において、電力受信用コイル３２の両端に誘起された交流電力は、整流および平滑された後、所定の直流電圧として制御回路５６、照明回路５５およびセンサ４０に供給されている。また、検出回路５３においては、前記交流電力の周波数成分を方形波の制御信号として検波し、制御回路５６に出力している（図６（ａ）、（ｂ）参照）。なお、この制御信号は、制御回路５６のマイクロコンピュータに入力可能なＨレベルおよびＬレベルを有している。
【００２５】
制御回路５６は、上記制御信号の周波数に基づいて、照明回路５５を介して照明用ＬＥＤ３９の点灯を制御するように構成されている（詳細は後述する）。また、制御回路５６には、センサ４０からの検出信号が入力されている。制御回路５６は、この検出信号に基づいて生成したセンサ情報信号を変調／発振回路５４に出力しており、このセンサ情報信号は、変調／発振回路において周波数変調された後、被変調信号として信号送信用コイル３３に出力されている。
【００２６】
次に、上記構成の作用について図６も参照して説明する。
洗濯乾燥機１本体の電源が投入されると、図示しない電源回路から筐体２側の制御回路５１に電力が供給され、制御回路５１は、発振回路４５を介して電力送信用コイル４２に交流電力を供給し、その周辺に交番磁界を発生させる。ここで、ドア６が閉鎖状態にある場合、ドア６側の電力受信用コイル３２は、電力送信用コイル４２周辺に発生した交番磁界にさらされる。
これにより、電力送信用コイル４２と電力受信用コイル３２とが電磁結合され、電力受信用コイル３２に誘起電力が発生し、ドア６側の制御回路５６、照明回路５５およびセンサ４０に電力が供給される。また、制御回路５６には、電力受信用コイル３２から検出回路を介して照明用ＬＥＤ３９の点灯を制御するための制御信号が入力される。
【００２７】
ドア６側の制御回路５６は、センサ４０からの検出信号に基づいて、ドラム１５内の状態を示す物理量（温度や湿度等）を示すセンサ情報信号を生成し、このセンサ情報信号を変調／発振回路５４を介して被変調信号として信号送信用コイル３３へ出力する。すると、信号送信用コイル３３の周辺にはこの被変調信号に応じた交番磁界が発生する。
このとき、筐体２側の信号受信用コイル４３は、この交番磁界にさらされる位置にあるため、信号送信用コイル３３と信号受信用コイル４３とが電磁結合され、信号受信用コイル４３に誘起電力が発生する。そして、この誘起電力から検出回路４６を介して取り出したセンサ情報信号が制御回路５１に入力される。制御回路５１は、このセンサ情報信号が入力されたことでドア６が閉鎖状態にあると判断する。
【００２８】
また、制御回路５１は、このセンサ情報信号から得たドラム１５内の温度および湿度に基づいて、乾燥運転時のヒータ２８への通電制御、ファンモータ４８の回転数制御、操作パネル３の表示部における残り時間の表示などを行う。
【００２９】
一方、ドア６が開放状態にある場合、各コイル３２、３３、４２、４３において電磁結合が行われないので、ドア６側の制御回路５６を含む各回路には電力が供給されない。従って、筐体２側の制御回路５１にセンサ情報信号が入力されない。これにより、制御回路５１は、ドア６が開放状態にあると判断する。
【００３０】
図６は、照明用ＬＥＤの点灯制御に係る電圧および信号の波形図であり、（ａ）は電力受信用コイル３２の端子電圧、（ｂ）は検出回路５３から出力される制御信号、（ｃ）は制御回路５６から出力される照明信号を示している。照明用ＬＥＤ３９は、前述したようにドア６が閉鎖状態にある場合にのみ、電力が供給される照明回路５５によって点灯動作が行われる。さらに、照明用ＬＥＤ３９は、図６に示すように、制御回路５６からの照明信号により点灯状態が制御されており、照明信号がＨレベルのときに点灯され、Ｌレベルのときに消灯されるようになっている。
【００３１】
すなわち、通常時における筐体２側の制御回路５１から発振回路４５に出力する発振信号は５０ｋＨｚであり、これにより、ドア６側の電力受信用コイル３２に与えられる交流電力も５０ｋＨｚとなっている。この５０ｋＨｚの交流電力は、検出回路５３を介して同様の周波数を有する制御信号としてドア６側の制御回路５６に入力されている。そして、照明用ＬＥＤ３９を点灯させる場合には、筐体２側の制御回路５１は、発振信号の周波数を４５ｋＨｚに変更する。ドア６側の制御回路５６は、制御信号の立ち上がりを数回、例えば３回検出し、その周波数が５０ｋＨｚから４５ｋＨｚに変更されたことを検知すると、照明回路５５に出力する照明信号をＨレベルとして後面板１０に取り付けられた照明用ＬＥＤ３９を点灯させ、ドア６側からドラム１５内を照明する。
【００３２】
そして、照明用ＬＥＤ３９を消灯させる場合には、筐体２側の制御回路５１は、発振信号の周波数を５０ｋＨｚに変更する。ドア６側の制御回路５１は、上述した点灯時と同様にして、制御信号の周波数が４５ｋＨｚから５０ｋＨｚに変更されたことを検知すると、照明回路５５に出力する照明信号をＬレベルとして照明用ＬＥＤ３９を消灯させる。
【００３３】
以上説明した本実施例によれば、次のような効果が得られる。
ドア６の台座８の外周下部に電力受信ユニット１１を設け、筐体２の窪み部４の下部に電力送信ユニット１２を設けた。そして、電力受信ユニット１１および電力送信ユニット１２は、投入口５の閉鎖状態において、電力受信用コイル３２と電力送信用コイル４２とが対向し且つ信号送信用コイル３３と信号受信用コイル４３とが対向するようにそれぞれ配置した。これにより、投入口５の閉鎖状態においては、筐体２側の電力送信用コイル４２とドア６側の電力受信用コイル３２とが電磁結合されることで、筐体２側からドア６側へ電力を供給することができる。
【００３４】
ドア６側の電力受信ユニット１１の制御回路５６は、上記したように電力が供給されると、センサ４０からの検出信号に基づくセンサ情報信号を、信号送信用コイル３３および信号受信用コイル４３を介して筐体２側の電力送信ユニット１２の制御回路５１に出力する。これに対して、投入口５が開放された状態では、電力受信ユニット１１に電力が供給されないため、センサ情報信号も出力されない。従って、制御回路５１は、このようなセンサ情報信号の有無に基づいて投入口５の開閉状態を検知することが可能となり、開放された状態で運転が開始される事態等を未然に防止でき、また、従来構成のドアスイッチが不用となるため構成を簡単化できる。
【００３５】
また、上述したように、無線によって電力および信号の送受信を行う構成としたので、ドア６の開閉動作による配線部分の断線などのおそれがなくなり信頼性が向上する。そして、無線（非接触）で投入口５の開閉状態を検知するので、例えばマイクロスイッチを用いた従来構成のドアスイッチにおいて必要となる接点部の防水対策、防湿対策、静電気対策等が不要となり構成を簡単化でき、製造コストも低減できる。
【００３６】
さらに、制御回路５１は、上記したセンサ情報信号に基づいて、乾燥運転時のヒータ２８への通電制御、ファンモータ４８の回転数制御、操作パネル３の表示部における残り時間の表示などを行う。このセンサ情報信号は、洗濯物や洗濯水等に直接触れる所に配置されたセンサ４０からの検出信号に基づくものであるため、ドラム１５内の温度および湿度を正確に示している。従って、制御回路５１は、ドラム１５内の洗濯物の温度や乾燥状態を正確に検知した上で各運転および表示動作を行うことができる。
【００３７】
筐体２側からドア６側の電力受信ユニット１１に供給された電力によって、ドア６の後面板１０に取り付けた照明用ＬＥＤ３９を点灯させ、ドア６側からドラム１５内を照明するようにした。これにより、照明用ＬＥＤ３９の照明方向や照明強度の設計が容易になるとともに、ドラム１５の正面方向から効率よく内部を照らすことが可能となり、ユーザがドラム１５内部の洗濯物等を確認し易くなる。
【００３８】
（第２実施例）
以下、本発明の第２実施例について図７を参照しながら説明する。なお、第１実施例と同一部分には同一符号を付して説明を省略し、以下異なる部分についてのみ説明する。
図７は、第１実施例における図３（ｂ）相当図であり、ドアおよび電力受信ユニットの断面を示している。前面板９の上面において、台座８が載置された部分以外の部分には、各電極（図示せず）間に電圧を印加すると透明になる高分子液晶シート６１が設けられている。そして、この高分子液晶シート６１の上面を覆うようにシート押さえ板６２が設けられており、高分子液晶シート６１は、前面板９とシート押さえ板６２との間に挟みこまれた状態で接着固定されている。このシート押さえ板６２は、前面板９および後面板１０と同様に、少なくとも中央部または全部が透視可能に形成されている。
【００３９】
高分子液晶シート６１の各電極からは配線６３、６４が引き出されており、これら配線６３、６４は、台座８上を沿うようにして電力受信ユニット１１に接続されている。これにより、高分子液晶シート６１の各電極間には、電力受信ユニット１１から電圧が印加されるようになっている。
【００４０】
上記構成によれば、ドア６によって投入口５が閉鎖されている状態において、ドア６側の電力受信ユニット１１から高分子液晶シート６１の各電極間に電圧を印加するか否かによって、高分子液晶シート６１を透明にするか否かを制御することが可能となる。すなわち、ドア６を透明なガラスとして外部よりドラム１５内を見えるようにするか、ドア６を曇りガラスとして外部よりドラム１５内を見えなくするかを切り替えることができる。
【００４１】
なお、本発明は、上記し且つ図面に記載した各実施例にのみ限定されるものではなく、次のような変形又は拡張が可能である。
投入口５の閉鎖状態において、電力受信用コイル３２と電力送信用コイル４２とが対向し且つ信号送信用コイル３３と信号受信用コイル４３とが対向すれば、電力受信ユニット１１は、ドア６の周囲部であればどこに設けてもよく、また、電力送信ユニット１１は、投入口５の周囲部であればどこに設けてもよい。
センサ４０は、必要に応じて設ければよい。センサ４０を設けない場合には、ドア６側の制御回路５６を、電源が供給されると筐体２側の制御回路５１に対して所定の信号を出力するように構成して、制御回路５１が、この所定の信号に基づいて投入口５の開閉状態を検知するように構成すればよい。
【００４２】
電力送信用コイル４２に供給する交流電力の周波数は、適宜変更可能である。
ドア６側の制御回路５６は、電源が供給されると、照明用ＬＥＤ３９を常時点灯させるように制御してもよい。このようにすれば、電力送信用コイル４２に供給する交流電力の周波数を一定とすることができ、筐体２側の制御回路５１の制御を簡単化できる。
電力受信ユニット１１から照明用ＬＥＤ３９へ電源を供給する配線３７、３８は、ＬＥＤケース４４の内部を通すようにしてもよい。
本発明は、乾燥機能を有さないドラム式洗濯機に適用することも可能である。
【図面の簡単な説明】
【００４３】
【図１】本発明の第１実施例を示す、ドラム式洗濯乾燥機の縦断側面図
【図２】ドラム式洗濯乾燥機の外観斜視図
【図３】ドアに設けられた電力受信ユニットを示すもので、（ａ）は要部平面図、（ｂ）は（ａ）におけるＸ−Ｘ線の断面図、（ｃ）は部品配置図
【図４】ＬＥＤケースの概略構成を示すもので、（ａ）は外観斜視図、（ｂ）はドアへの取り付け状態を示す図
【図５】電力受信ユニットおよび電力送信ユニットとその周辺回路の電気構成図
【図６】照明用ＬＥＤ点灯制御に係る電圧および信号の波形図
【図７】本発明の第２実施例を示す、図３（ｂ）相当図
【符号の説明】
【００４４】
図面中、１は洗濯乾燥機、２は筐体、５は投入口、６はドア、１３は水槽、１５はドラム、３２は電力受信用コイル、３３は信号送信用コイル、３９は照明用ＬＥＤ（照明装置）、４０はセンサ、４２は電力送信用コイル、４３は信号受信用コイル、５１は制御回路（電力送信手段、開閉検知手段）、５６は制御回路（信号送信手段）を示す。
【図１】
2008132257.tif 000003
【図２】
2008132257.tif 000004
【図３】
2008132257.tif 000005
【図４】
2008132257.tif 000006
【図５】
2008132257.tif 000007
【図６】
2008132257.tif 000008
【図７】
2008132257.tif 000009